(57)【要約】【課題】収納庫に設けられた収納部を蓋体で開閉できる貨幣管理装置を提供する。【解決手段】貨幣管理装置は、複数の収納容器（紙幣収納容器１００、硬貨収納容器１５０）を有する開閉可能なドロア２４ｂ、２４ｃと、収納容器に設けられ、貨幣が収納される収納凹部１００ａ、１５０ａと、収納凹部１００ａ、１５０ａを開閉する蓋体１０２、１５２と、を備える。また、貨幣管理装置は、収納または取出される貨幣に係る取引情報を受け付ける入力部と、ドロア２４ｂ、２４ｃに設けられ、取引情報によって特定される貨幣が収納または取出されるべき収納容器を報知する対象容器報知部１２０、１７０と、を備える。【選択図】図１７
2020035494.tif 000002
【特許請求の範囲】
【請求項１】
複数の収納部を有する開閉可能な収納庫と、
前記収納部に設けられ、貨幣が収納される収納凹部と、
前記収納凹部を開閉する蓋体と、を備える、
ことを特徴とする貨幣管理装置。
【請求項２】
収納または取出される貨幣に係る取引情報を受け付ける受付部と、
前記収納庫に設けられ、前記取引情報によって特定される貨幣が収納または取出されるべき前記収納部を報知する第１の報知部と、をさらに備える、
ことを特徴とする請求項１に記載の貨幣管理装置。
【請求項３】
前記収納庫は、装置本体から引き出されることにより開放され、
前記収納庫の上面に、前記収納部および前記第１の報知部が設けられる、
ことを特徴とする請求項２に記載の貨幣管理装置。
【請求項４】
前記第１の報知部は、前記収納部ごとに設けられる表示部を含み、収納または取出の対象となる前記収納部に対応する前記表示部の表示態様を、収納または取出の対象とならない前記収納部に対応する前記表示部の表示態様と異ならせる、
ことを特徴とする請求項２または３に記載の貨幣管理装置。
【請求項５】
前記収納凹部には、複数の束紙幣または包装硬貨を収納できる、
ことを特徴とする請求項２ないし４の何れか一項に記載の貨幣管理装置。
【請求項６】
前記受付部により、収納される貨幣に係る前記取引情報が受け付けられた場合、
前記第１の報知部は、前記取引情報によって特定される貨幣が収納されるべき前記収納部であって貨幣で満杯でない前記収納部を報知する、
ことを特徴とする請求項２ないし５の何れか一項に記載の貨幣管理装置。
【請求項７】
前記第１の報知部は、前記取引情報に合致した貨幣の収納または取出しが行われないことによる異常が発生した場合に、当該異常の解消のために確認されるべき前記収納部を報知する、
ことを特徴とする請求項２ないし６の何れか一項に記載の貨幣管理装置。
【請求項８】
前記第１の報知部は、
前記異常が、収納または取出の対象とならない前記収納部への操作者のアクセスである場合、誤ってアクセスされた前記収納部を報知し、
前記異常が、収納または取出の対象となる前記収納部に対して収納または取出された貨幣の個数が前記取引情報により特定される貨幣の個数と合致しないものである場合、貨幣の個数が合致しない前記収納部を報知する、
ことを特徴とする請求項７に記載の貨幣管理装置。
【請求項９】
前記収納庫は、複数設けられ、
各々の前記収納庫または各々の前記収納庫の近傍に第２の報知部を、さらに備え、
前記第２の報知部は、前記第２の報知部に対応する前記収納庫が、前記取引情報によって特定される貨幣が収納または取出されるべき前記収納部を有する前記収納庫であることを報知する、
ことを特徴とする請求項２ないし８の何れか一項に記載の貨幣管理装置。
【請求項１０】
前記収納部ごとに設けられる表示部を、さらに備え、
前記表示部は、前記収納部の貨幣の収納状態に基づいて表示態様を変化させる、
ことを特徴とする請求項１に記載の貨幣管理装置。
【発明の詳細な説明】
【技術分野】
【０００１】
本発明は、貨幣を収納および保管する貨幣管理装置に関する。
【背景技術】
【０００２】
従来、貨幣を収納および保管する貨幣管理装置が、銀行等で利用されている。たとえば、銀行では、出納機で出金できない大量現金の支払いを行う場合や、出納機に収納し切れなくなった紙幣や硬貨等を出納機から取出して保管する場合に貨幣管理装置が使用される。貨幣管理装置に貨幣を収納する場合、紙幣は、所定枚数ごとに結束された状態で貨幣管理装置に収納される。また、硬貨は、所定枚数ごとに包装された状態で貨幣管理装置に収納される。出納機に貨幣が少なくなった場合に、貨幣管理装置から紙幣や硬貨が取出されて出納機に戻される。
【０００３】
このような貨幣管理装置には、複数のドロアが装置本体に対して出し入れ自在に設けられる。ドロア内には複数の保管容器が配置される。各保管容器には、各保管容器に割り当てられた金種の貨幣が収納される（特許文献１参照）。
【先行技術文献】
【特許文献】
【０００４】
【特許文献１】特開２０１２−２４８０２３号公報
【発明の概要】
【発明が解決しようとする課題】
【０００５】
上記の貨幣管理装置では、一つのドロア内に、割り当てられた金種の異なる複数の保管容器が配置され得る。このような場合、操作者は、ドロア内への貨幣の収納あるいは取出を行う際、誤って異なる金種の保管容器に貨幣を収納してしまったり、誤って異なる金種の保管容器から貨幣を取出してしまったりする虞がある。
【０００６】
本発明は、収納庫に設けられた収納部を蓋体で開閉できる貨幣管理装置を提供することを目的とする。
【０００７】
さらに、本発明は、貨幣の誤った取引操作を低減できる貨幣管理装置を提供することを目的とする。
【課題を解決するための手段】
【０００８】
本発明の主たる態様に係る貨幣管理装置は、複数の収納部を有する開閉可能な収納庫と、前記収納部に設けられ、貨幣が収納される収納凹部と、前記収納凹部を開閉する蓋体と、を備える。
【０００９】
さらに、本態様に係る貨幣管理装置は、収納または取出される貨幣に係る取引情報を受け付ける受付部と、前記収納庫に設けられ、前記取引情報によって特定される貨幣が収納または取出されるべき前記収納部を報知する第１の報知部と、をさらに備える。
【発明の効果】
【００１０】
本発明によれば、収納庫に設けられた収納部を蓋体で開閉できる貨幣管理装置を提供できる。
【００１１】
さらに、本発明によれば、貨幣の誤った取引操作を低減できる貨幣管理装置を提供することができる。
【００１２】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１３】
【図１】図１は、実施形態に係る貨幣処理システムの外観を示す斜視図である。
【図２】図２は、実施形態に係る貨幣管理装置の外観を示す斜視図である。
【図３】図３（ａ）ないし（ｄ）は、実施形態に係る貨幣管理装置で扱われる貨幣を模式的に示す図である。
【図４】図４（ａ）ないし（ｄ）は、実施形態に係る貨幣管理装置のドロアの構成を示す図である。
【図５】図５は、実施形態に係る貨幣管理装置の主たる構成を示すブロック図である。
【図６】図６（ａ）は、実施形態に係る貨幣管理装置の入力部のキー構成を示す図である。図６（ｂ）、（ｃ）は、実施形態に係る貨幣処理装置の表示部に表示される画面の構成を模式的に示す図である。
【図７】図７は、実施形態に係る貨幣処理装置の取引操作時における処理を示すフローチャートである。
【図８】図８（ａ）は、実施形態に係る貨幣管理装置の取引対象容器を報知する処理を示すフローチャートである。図８（ｂ）は、実施形態に係る貨幣管理装置の異常操作の判定処理を示すフローチャートである。
【図９】図９（ａ）ないし（ｄ）は、変更例１に係る貨幣管理装置のドロアの構成を示す図である。
【図１０】図１０（ａ）ないし（ｄ）は、変更例２に係る貨幣管理装置のドロアの構成を示す図である。
【図１１】図１１（ａ）および（ｂ）は、変更例３に係る貨幣管理装置のドロアの構成を示す図である。
【図１２】図１２（ａ）は、変更例３に係る貨幣管理装置の取引対象容器を報知する処理を示すフローチャートである。図１２（ｂ）および（ｃ）は、変更例３に係る貨幣管理装置の表示灯および表示器の表示例を示す図である。
【図１３】図１３（ａ）は、変更例４に係る貨幣管理装置の取引対象容器を報知する処理を示すフローチャートである。図１３（ｂ）および（ｃ）は、変更例４に係る貨幣管理装置の表示灯および表示器の表示例を示す図である。
【図１４】図１４（ａ）は、変更例５に係る貨幣管理装置の取引対象容器を報知する処理を示すフローチャートである。図１４（ｂ）ないし（ｅ）は、変更例５に係る貨幣管理装置の表示灯および表示器の表示例を示す図である。
【図１５】図１５は、変更例６に係る貨幣管理装置の取引対象容器を報知する処理を示すフローチャートである。
【図１６】図１６（ａ）ないし（ｄ）は、その他の変更例に係る貨幣管理装置のドロアの構成を示す図である。
【図１７】図１７（ａ）ないし（ｄ）は、その他の変更例に係る貨幣管理装置のドロアの構成を示す図である。
【図１８】図１８は、その他の変更例に係る貨幣管理装置の外観を示す斜視図である。
【発明を実施するための形態】
【００１４】
以下、本発明の実施形態について、図面を参照して説明する。
【００１５】
以下の実施形態には、硬貨および紙葉類を処理する出納機に通信線で接続された貨幣管理装置に本発明を適用した例が示されている。
【００１６】
本実施形態において、ドロア２４ａ〜２４ｄが特許請求の範囲に記載の「収納庫」に対応し、紙幣収納容器１００および硬貨収納容器１５０が特許請求の範囲に記載の「収納部」に対応する。また、入力部２１および通信部２０５が特許請求の範囲に記載の「受付部」に対応する。さらに、対象容器報知部１２０、１７０が特許請求の範囲に記載の「第１の報知部」に対応する。表示灯１２１、１７１が特許請求の範囲に記載の「表示部」に対応する。
【００１７】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。また、特許請求の範囲の構成と後述する変更例の構成の対応付けについても同様である。
【００１８】
図１は、本実施形態に係る貨幣処理システム１の外観を示す斜視図である。
【００１９】
貨幣処理システム１は、出納機１０と貨幣管理装置２０とを備えている。通常、貨幣管理装置２０は、出納機１０の近辺に配置される。出納機１０で出金できない大量現金の支払いが貨幣管理装置２０から行われ、出納機１０に収納しきれなくなった硬貨や紙幣が貨幣管理装置２０に移される。また、出納機１０に貨幣が少なくなった場合は、貨幣管理装置２０から紙幣や硬貨が取り出されて出納機１０に戻される。出納機１０と貨幣管理装置２０は、通信線により接続され、互いに通信可能である。
【００２０】
出納機１０は、束紙幣を処理する束紙幣処理ユニット１１と、バラ紙幣を処理するバラ紙幣処理ユニット１２と、包装硬貨を処理する包装硬貨処理ユニット１３と、バラ硬貨を処理するバラ硬貨処理ユニット１４とを備えている。束紙幣処理ユニット１１には、束紙幣を出金する束紙幣出金口１１ａと束紙幣を入金する束紙幣入金口１１ｂが設けられている。バラ紙幣処理ユニット１２には、バラ紙幣を出金するバラ紙幣出金口１２ａとバラ紙幣を入金するバラ紙幣入金口１２ｂが設けられている。また、包装硬貨処理ユニット１３には、包装硬貨を出金する包装硬貨出金口１３ａが設けられ、バラ硬貨処理ユニット１４には、バラ硬貨を出金するバラ硬貨出金口１４ａが設けられている。
【００２１】
さらに、出納機１０は、入力部１５と、出納機モニター１６と、カードリーダ１７と、プリンタ１８を備えている。入力部１５と出納機モニター１６は、それぞれ、機械式のキーボードおよびモニタであり、出納機１０に対する操作者のインタフェースとして利用される。カードリーダ１７は、操作者が所持するＩＤカードを読み取る。プリンタ１８は、レシート発行装置として機能する。本実施形態では、後述のように、出納機１０から貨幣管理装置２０に貨幣を移す際に、連動番号（４桁の数字）が印字されたレシートがプリンタ１８により発行され、操作者に渡される。
【００２２】
図２は、本実施形態に係る貨幣管理装置２０の外観を示す斜視図である。
【００２３】
貨幣管理装置２０は、入力部２１と、貨幣管理装置モニター２２と、カードリーダ２３と、４つのドロア２４ａ〜２４ｄと、を備えている。入力部２１と貨幣管理装置モニター２２は、それぞれ、機械式のキーボードおよびモニタであり、貨幣管理装置２０に対する操作者のインタフェースとして利用される。カードリーダ２３は、ＩＤカードを読み取って操作者のＩＤ情報を取得する。カードリーダ２３はＩＤカードを走査させるためのスリットを備えている。
【００２４】
４つのドロア２４ａ〜２４ｄは、それぞれ、装置本体２０ａから前方に引き出された開放位置と装置本体２０ａの内部に収納された閉塞位置の間を水平方向に移動可能に装置本体２０ａに支持されている。図２には、ドロア２４ａ〜２４ｄが閉塞位置にある状態が示されている。
【００２５】
４つのドロア２４ａ〜２４ｄは、それぞれ、収納する貨幣の金種が決まっている。本実施形態では、最上段のドロア２４ａは１万円紙幣の収納に用いられ、２段目のドロア２４ｂはその他の金種の紙幣の収納に用いられる。また、３段目のドロア２４ｃは１００円、１０円および１円の硬貨の収納に用いられ、最下段のドロア２４ｄは５００円、５０円および５円の硬貨の収納に用いられる。ドロア２４ａ〜２４ｄは、ロック機構２０１（図１には図示せず、図５参照）によって、それぞれ個別に、閉塞位置にロックされている。ドロア２４ａ〜２４ｄは、バネ等の付勢手段によって開放方向に付勢されている。したがって、ドロア２４ａ〜２４ｄは、それぞれ、ロック機構２０１によるロックが解除されると、付勢手段による付勢によって、僅かに引き出される。
【００２６】
本実施形態において、紙幣は、１００枚が結束された小束紙幣および１０束の小束紙幣が結束された大束紙幣の形態で、ドロア２４ａ、２４ｂに収納される。また、硬貨は、５０枚ごとに包装された包装硬貨の形態で、ドロア２４ｃ、２４ｄに収納される。操作者は、小束紙幣または大束紙幣を出納機１０の束紙幣出金口１１ａから取出して、ドロア２４ａ、２４ｂに収納し、また、包装硬貨を出納機１０の包装硬貨出金口１３ａから取出して、ドロア２４ｃ、２４ｄに収納する。
【００２７】
図３（ａ）、（ｂ）は、それぞれ、小束紙幣および大束紙幣を模式的に示す図、図３（ｃ）、（ｄ）は、それぞれ、包装硬貨の構成を模式的に示す図である。図３（ｂ）に示すように、大束紙幣は、１０束の小束紙幣を重ねた状態で、長手方向と短手方向に紙帯で結束した構成となっている。また、図３（ｄ）に示すように、１０個の包装硬貨が輪ゴム等で束状に纏められてドロア２４ｃ、２４ｄに収納される場合もある。
【００２８】
図４（ａ）、（ｂ）は、それぞれ、２段目のドロア２４ｂの構成を示す平面図および右側面図であり、図４（ｃ）、（ｄ）は、それぞれ、３段目のドロア２４ｃの構成を示す平面図および右側面図である。
【００２９】
ドロア２４ｂには、３種類の金種の紙幣の束が、規則正しく収納保管される。図４（ａ）、（ｂ）の例では、ドロア２４ｂの上面に、合計１０個の紙幣収納容器１００が、左右２列、前後５列となるように配置されており、紙幣収納容器１００ごとに、収納保管される紙幣の金種が決められている。本実施形態では、最前列から３列目までの６個の紙幣収納容器１００に１千円の金種が割り当てられており、４列目の２個の紙幣収納容器１００に５千円の金種が割り当てられており、５列目の２個の紙幣収納容器１００に２千円の金種が割り当てられている。金種の割り当ては、所定の設定操作により、紙幣収納容器１００の単位で設定することができる。
【００３０】
紙幣収納容器１００は、上面が開放された長方形状の収納凹部１００ａを有する容器であり、合計２０束の小束紙幣または合計２束の大束紙幣を２段積みにて収納することができる。紙幣収納容器１００の左右の縁部には、その紙幣収納容器１００に収納される紙幣の金種名が表示された金種ラベル１０１が貼り付けられている。
【００３１】
紙幣収納容器１００の下方には、ロードセル１１０が配置され、このロードセル１１０によって紙幣収納容器１００に収納された紙幣の総重量が計測される。
【００３２】
ドロア２４ｂの上面には、対象容器報知部１２０が備えられている。対象容器報知部１２０は、紙幣収納容器１００ごとに設けられた、合計１０個の表示灯１２１を含む。表示灯１２１は、たとえば、ＬＥＤで構成される。左側の列の５個の紙幣収納容器１００には、各々に対応する表示灯１２１が、各々の左方近傍に設けられており、右側の列の５個の紙幣収納容器１００には、各々に対応する表示灯１２１が、各々の右方近傍に設けられている。
【００３３】
対象容器報知部１２０は、表示灯１２１を点滅させることにより、その表示灯１２１に対応する紙幣収納容器１００が、後述の取引情報によって特定される金種の紙幣が収納または取出されるべき紙幣収納容器１００であることを操作者に報知する。
【００３４】
ドロア２４ａもドロア２４ｂと同様の構成となっている。ただし、ドロア２４ａでは、全て（１０個）の紙幣収納容器１００に１万円の金種が割り当てられている。
【００３５】
ドロア２４ｃには、３種類の金種の包装硬貨が、規則正しく収納保管される。図４（ｃ）、（ｄ）の例では、ドロア２４ｃの上面に、合計１２個の硬貨収納容器１５０が、左右２列、前後６列となるように配置されており、硬貨収納容器１５０ごとに、収納保管される硬貨の金種が決められている。本実施形態では、最前列と２列目の４個の硬貨収納容器１５０に１００円の金種が割り当てられており、３列目と４列目の４個の硬貨収納容器１５０に１０円の金種が割り当てられており、５列目と６列目の４個の硬貨収納容器１５０に１円の金種が割り当てられている。金種の割り当ては、所定の設定操作により、硬貨収納容器１５０の単位で設定することができる。
【００３６】
硬貨収納容器１５０は、上面が開放された横に延びた菱形状の収納凹部１５０ａを有する容器であり、合計１０本の包装硬貨を収納することができる。硬貨収納容器１５０の左右の縁部には、その硬貨収納容器１５０に収納される硬貨の金種名が表示された金種ラベル１５１が貼り付けられている。
【００３７】
硬貨収納容器１５０の下方には、ロードセル１６０が配置され、このロードセル１６０によって硬貨収納容器１５０に収納された硬貨の総重量が計測される。
【００３８】
ドロア２４ｃの上面には、対象容器報知部１７０が備えられている。対象容器報知部１７０は、硬貨収納容器１５０ごとに設けられた、合計１２個の表示灯１７１を含む。表示灯１７１は、たとえば、ＬＥＤで構成される。左側の列の６個の硬貨収納容器１５０には、各々に対応する表示灯１７１が、各々の左方近傍に設けられており、右側の列の６個の硬貨収納容器１５０には、各々に対応する表示灯１７１が、各々の右方近傍に設けられている。
【００３９】
対象容器報知部１７０は、表示灯１７１を点滅させることにより、その表示灯１７１に対応する硬貨収納容器１５０が、後述の取引情報によって特定される金種の硬貨が収納または取出されるべき硬貨収納容器１５０であることを操作者に報知する。
【００４０】
ドロア２４ｄもドロア２４ｄと同様の構成となっている。ただし、ドロア２４ａでは、最前列と２列目の４個の硬貨収納容器１５０に５００円の金種が割り当てられており、３列目と４列目の４個の硬貨収納容器１５０に５０円の金種が割り当てられており、５列目と６列目の４個の硬貨収納容器１５０に５円の金種が割り当てられている。
【００４１】
図５、貨幣管理装置２０の要部構成を示すブロック図である。
【００４２】
図５に示すように、貨幣管理装置２０は、図１に示す入力部２１、貨幣管理装置モニター２２およびカードリーダ２３、並びに図４に示すロードセル１１０、１６０および対象容器報知部１２０、１７０の他、ロック機構２０１、報知部２０２、制御部２０３、記憶部２０４および通信部２０５を備えている。上記のように、ロック機構２０１は、ドロア２４ａ〜２４ｄをそれぞれ閉塞状態にロックする。報知部２０２は、スピーカを備え、貨幣管理装置２０に対する貨幣の入出金時に所定のガイダンス、メッセージ、その他の音声を出力する。
【００４３】
制御部２０３は、ＣＰＵ（Central Processing Unit）等の演算回路を備え、記憶部２０４に記憶されたプログラムに従って、各部を制御する。記憶部２０４は、ＲＯＭ（Read Only Memory）、ＲＡＭ（Random Access Memory）やハードディスク等の記憶媒体を備え、制御部２０３の動作プログラムを記憶し、また、制御部２０３の制御処理の際にワーク領域として利用される。記憶部２０４には、後述の取引操作時の制御プログラムが記憶されている。また、記憶部２０４には、各紙幣収納容器１００および各硬貨収納容器１５０に割り当てられた金種が記憶される。
【００４４】
通信部２０５は、通信インタフェースであって、通信回線で出納機１０の通信部と接続されている。上記のように、通信部２０５と出納機１０の通信部との間の通信は、有線に限らず、無線で行われても良い。
【００４５】
図６（ａ）は、貨幣管理装置２０の入力部２１の構成を模式的に示す図である。
【００４６】
上記のように、入力部２１は、機械式のキーボードにより構成されている。図６（ａ）に示すように、入力部２１は、数字を入力するためのテンキーＢ１１と、収納または取出す貨幣の数を束数または本数単位で入力するための束／本キーＢ１２と、処理の指定または入力項目の確定を行うための実行キーＢ１３と、処理の確定および確認を行うための完了キーＢ１４と、カーソルを上下に移動させるためのカーソルキーＢ１５と、を備えている。さらに、入力部２１は、収納または取出す硬貨の金種を指定するための硬貨金種キーＢ１６と、収納または取出す紙幣の金種を指定するための紙幣金種キーＢ１７と、表示されているウィンドウを一つ前のウィンドウに戻す切替キーＢ１８と、入力中の数値を訂正する訂正キーＢ１９と、を備えている。硬貨金種キーＢ１６および紙幣金種キーＢ１７には、各キーに金種の表示が付されている。１千円札の紙幣金種キーＢ１７と、１円硬貨の硬貨金種キーＢ１６は、それぞれ、カーソルを左右方向に移動させるためのキーとして共用される。
【００４７】
たとえば、操作者が、貨幣管理装置２０に対して、手動で、取引情報を入力する場合、操作者は、図６（ａ）に示す入力部２１を操作して、貨幣管理装置２０に収納または取出を行う貨幣の金種と数（小束の束数、包装硬貨の本数）を入力する。このとき、金種の入力は、硬貨金種キーＢ１６または紙幣金種キーＢ１７を用いて行われる。また、小束紙幣の束数や包装硬貨の本数の入力は、テンキーＢ１１と束／本キーＢ１２を用いて行われる。なお、大束紙幣を収納しまたは取出す場合、操作者は、該当金種を入力した上で、１０束と入力する。
【００４８】
図６（ｂ）、（ｃ）は、それぞれ、操作者が小束紙幣および包装硬貨の収納を行う場合に貨幣管理装置モニター２２に表示される画面の一例を示している。
【００４９】
図６（ｂ）、（ｃ）に示すように、入力画面は、領域Ｒ１１〜領域Ｒ１７を含んでいる。領域Ｒ１１には、当該取引操作が収納に係るものであることが表示される。領域Ｒ１２には、収納に関するシリアル番号が表示され、領域Ｒ１３には、操作者のＩＤ情報が表示される。操作者のＩＤ情報は、操作者が自身のＩＤカードをカードリーダ２４に読み取らせることにより取得される。領域Ｒ１４には、入力操作の際に行われるべき手順が表示される。領域Ｒ１５には、入力部２１へ入力された情報が金種ごとに表示され、また、その合計額が表示される。領域Ｒ１６には、画面の切り替えを行う場合の操作が表示される。領域Ｒ１７には、現在の日時が表示される。
【００５０】
操作者は、自身が収納しようとする貨幣の取引情報（入金情報）を、図６（ｂ）、（ｃ）の画面を参照しながら、図６（ａ）の入力部２１により入力する。そして、収納対象の貨幣に関する取引情報の入力が完了すると、操作者は、完了キーＢ１４を押下して、入力を確定させる。
【００５１】
貨幣管理装置２０から貨幣を取り出す場合も、上記収納時と同様の操作により、取り出す貨幣の金種と数（小束の束数、包装硬貨の本数）が入力部２１を介して入力される。なお、取引操作が収納であるか取出であるかは、図６（ｂ）、（ｃ）の一つ前の受付画面で選択可能となっている。操作者は、この受付画面で取引操作が収納と取出の何れであるかを選択する。取引操作が取出である場合、図６（ｂ）、（ｃ）の領域Ｒ１１には、「取出」の文字が表示される。
【００５２】
なお、本実施形態では、貨幣管理装置２０と出納機１０が通信可能であるため、出納機１０から貨幣管理装置２０に貨幣を移す場合は、通信により、取引情報（入金情報）が、出納機１０から貨幣管理装置２０に送信される。このとき、通信部２０５が取引情報を受信する。
【００５３】
この場合、操作者は、出納機１０に対して自身のＩＤカードを読み取らせた上で、出納機１０から貨幣管理装置２０に移し替える貨幣の金種と貨幣の数（小束紙幣の束数、包装硬貨の本数）を出納機１０に入力して、出納機１０から当該貨幣を取り出す。このとき、出納機１０は、こうして取出された貨幣に関する情報（金種と個数を含む）を、貨幣管理装置２０において設定される取引情報（入金情報）として、固有の連動番号（４桁の数字）に紐づけて記憶し、記憶した連動番号が印字されたレシートをプリンタ１８に出力させる。こうして、操作者は、当該貨幣の連動番号を取得する。
【００５４】
出納機１０から取出した貨幣を貨幣管理装置２０に収納する場合、操作者は、貨幣管理装置２０に対して自身のＩＤカードを読み取らせた上で、レシートに印字された連動番号を貨幣管理装置２０に入力する。これにより、当該貨幣を出納機１０から取出す際に出納機１０に記憶された取引情報（入金情報）が、貨幣管理装置２０に送信される。こうして、図６（ａ）〜（ｃ）を参照して説明した入力操作を行わずとも、取引情報（入金情報）が貨幣管理装置２０に設定される。
【００５５】
図７は、取引操作時における貨幣管理装置２０の処理を示すフローチャートである。この処理は、貨幣管理装置２０の制御部２０３によって行われる。
【００５６】
図７を参照して、制御部２０３は、操作者から操作者ＩＤの入力と取引情報の入力を受け付ける（Ｓ１０１）。操作者ＩＤは、操作者が自身のＩＤカードをカードリーダ２４に読み込ませることにより取得される。また、取引情報は、図６（ａ）〜（ｃ）を参照して説明した手続により操作者が入力部２１に入力することにより取得される。あるいは、出納機１０から貨幣を移し替える場合は、出納機１０で発行された連動番号を操作者が入力部２１に入力することにより、取引情報（入金情報）が出納機１０から貨幣管理装置２０に送信される。取引情報とは、取引の種別（収納／取出）や取引対象貨幣の金種および個数、その合計額を含む、当該取り引きに関する情報である。
【００５７】
制御部２０３は、取引情報により特定される金種を、取引対象の金種（以下、「取引対象金種」という）に設定する（Ｓ１０２）。取引情報により特定される金種が複数あれば、制御部２０３は、それら複数の金種を取引対象金種に設定する。そして、制御部２０３は、取引対象金種の貨幣に対応するドロア（以下、「取引対象ドロア」という）のロックを解除する（Ｓ１０３）。さらに、制御部２０３は、対象容器報知部１２０、１７０を制御して、取引対象金種が割り当てられた紙幣収納容器１００または硬貨収納容器１５０（以下、「取引対象容器」という）の報知を開始する（Ｓ１０４）。
【００５８】
図８（ａ）は、取引対象容器を報知する処理の詳細を示すフローチャートである。
【００５９】
図８（ａ）を参照して、制御部２０３は、取引の種別が収納であるか取出であるかを判定する（Ｓ２０１）。取引の種別が収納である場合（Ｓ２０１：収納）、制御部２０３は、各取引対象容器に設けられたロードセル１１０、１６０の測定重量に基づいて、貨幣が満杯の取引対象容器を検出する（Ｓ２０２）。そして、制御部２０３は、対象容器報知部１２０、１７０により、満杯でない取引対象容器の報知を行う（Ｓ２０３）。具体的には、制御部２０３は、満杯でない取引対象容器に対応する表示灯１２１、１７１を点滅させる。制御部２０３は、満杯でない取引対象容器に対応する表示灯１２１、１７１以外の表示灯１２１、１７１については消灯状態とする。
【００６０】
一方、取引の種別が取出である場合（Ｓ２０１：取出）、制御部２０３は、各取引対象容器に設けられたロードセル１１０、１６０の測定重量に基づいて、貨幣がカラの取引対象容器を検出する（Ｓ２０４）。そして、制御部２０３は、対象容器報知部１２０、１７０により、カラでない取引対象容器の報知を行う（Ｓ２０５）。具体的には、制御部２０３は、カラでない取引対象容器に対応する表示灯１２１、１７１を点滅させる。制御部２０３は、カラでない取引対象容器に対応する表示灯１２１、１７１以外の表示灯１２１、１７１については消灯状態とする。
【００６１】
なお、Ｓ２０３において、制御部２０３は、満杯でない取引対象容器に対応する表示灯１２１、１７１を点灯させるようにしてもよい。同様に、Ｓ２０５において、制御部２０３は、カラでない取引対象容器に対応する表示灯１２１、１７１を点灯させるようにしてもよい。また、表示灯１２１、１７１が複数の色を表示できれば、点滅（点灯と消灯の繰り返し）ではなく、一定の周期で色を変える表示態様が採られてもよい。
【００６２】
図７に戻り、取引対象容器の報知は、取引対象ドロアが閉塞されるまで（Ｓ１０５：ＹＥＳ）継続される。操作者は、表示灯１２１、１７１で示された取引対象容器に、その取引対象容器に割り当てられた金種の貨幣を全て収納しまたは取出すと、取引対象ドロアを閉じる。取引対象ドロアが閉塞されると（Ｓ１０５：ＹＥＳ）、制御部２０３は、取引対象容器の報知を終了させる（Ｓ１０６）。具体的には、制御部２０３は、点滅している表示灯１２１、１７１を消灯させる。そして、制御部２０３は、取引対象ドロアをロックする（Ｓ１０７）。
【００６３】
なお、取引対象ドロアが複数ある場合は、全ての取引対象ドロアについて、Ｓ１０３〜Ｓ１０７の処理が行われる。
【００６４】
Ｓ１０７の処理が終了すると、制御部２０３は、一連の取引操作に異常な操作が介在したか否かを判定する（Ｓ１０８）。
【００６５】
図８（ｂ）は、Ｓ１０８で行われる異常操作の判定処理の詳細を示すフローチャートである。
【００６６】
制御部２０３は、図７のＳ１０３〜Ｓ１０７の処理が行われている間に、Ｓ３０１またはＳ３０２の異常条件に整合する操作が操作者によりなされたか否かを判定する。
【００６７】
Ｓ３０１では、取引対象金種とは異なる金種に対応する収納容器（紙幣収納容器１００、硬貨収納容器１５０）が取引対象ドロアにおいて操作者によりアクセスされたことが異常条件に設定されている。具体的には、制御部２０３は、取引対象ドロアの各収納容器に設けられたロードセル１１０、１６０のログ情報（以下、「アンプログ」という）を参照する。そして、制御部２０３は、Ｓ１０３〜Ｓ１０７の処理が行われている間に、取引対象金種とは異なる金種に対応する収納容器に重量変化が生じた場合に、操作者の取引操作がＳ３０１の異常条件に整合すると判定する（Ｓ３０１：ＹＥＳ）。
【００６８】
Ｓ３０２では、取引対象金種に対応する収納容器（紙幣収納容器１００、硬貨収納容器１５０）に収納された貨幣の個数（束数、個数）が、取引情報により特定される取引対象金種の貨幣の個数（束数、本数）と異なることが異常条件に設定されている。具体的には、制御部２０３は、取引対象ドロア上の取引対象金種に対応する収納容器に設けられたロードセル１１０、１６０のアンプログを参照する。そして、制御部２０３は、Ｓ１０３〜Ｓ１０７の処理が行われている間の重量差が、取引情報により特定される取引対象金種の貨幣の個数（束数、本数）に対応する重量差に整合しない場合に、操作者の取引操作がＳ３０２の異常条件に整合すると判定する（Ｓ３０２：ＹＥＳ）。
【００６９】
制御部２０３は、取引操作がＳ３０１およびＳ３０２の異常条件の少なくとも一つに整合する場合に、取引情報に合致する貨幣の取引（収納または取出）が行われず、その取引操作が異常操作に該当すると判定する（Ｓ３０３）。一方、制御部２０３は、取引操作がＳ３０１およびＳ３０２の異常条件の何れにも整合しない場合は、取引情報に合致する貨幣の取引（収納または取出）が行われ、その取引操作が正常操作に該当すると判定する（Ｓ３０４）。
【００７０】
なお、取引情報に基づく異常条件は、Ｓ３０１およびＳ３０２に記載された条件に限られず、他の条件がさらに追加されても良い。
【００７１】
図７に戻り、Ｓ１０８での異常操作の判定の結果、異常操作がなかった場合（Ｓ１０９：ＮＯ）、制御部２０３は、取引操作に係る処理を終了する。一方、異常操作があった場合（Ｓ１０９：ＹＥＳ）、制御部２０３は、異常操作が発生したドロア（以下、「異常対象ドロア」という）のロックを解除する（Ｓ１１０）。たとえば、異常操作が、取引対象金種とは異なる金種に対応する収納容器（紙幣収納容器１００、硬貨収納容器１５０）への操作者のアクセスである場合、誤ってアクセスされた収納容器を有するドロアのロックが解除される。また、異常操作が、実際に取引（収納または取出）された貨幣の個数（束数、本数）が、取引情報により特定される貨幣の個数（束数、本数）と合致しないものである場合、合致しない金種に対応する収納容器を有するドロアのロックが解除される。
【００７２】
次に、制御部２０３は、対象容器報知部１２０、１７０を制御して、異常操作が発生した収納容器、即ち、異常の解消のため操作者に確認されるべき収納容器（以下、「異常対象容器」と称する）の報知を開始する（Ｓ１１１）。具体的には、制御部２０３は、異常対象容器に対応する表示灯１２１、１７１を点滅させる。制御部２０３は、異常対象容器に対応する表示灯１２１、１７１以外の表示灯１２１、１７１は消灯状態とする。たとえば、異常操作が、取引対象金種とは異なる金種に対応する収納容器への操作者のアクセスである場合、制御部２０３は、誤ってアクセスされた収納容器に対応する表示灯１２１、１７１を点滅させる。また、異常操作が、実際に取引（収納または取出）された貨幣の個数（束数、本数）が、取引情報により特定される貨幣の個数（束数、本数）と合致しないものである場合、制御部２０３は、合致しない金種が割り当てられた全ての収納容器に対応する表示灯１２１、１７１を点滅させる。なお、制御部２０３は、異常対象容器に対応する表示灯１２１、１７１を、点滅に替えて、点灯させるようにしてもよい。
【００７３】
操作者は、貨幣を収納し直す、取出し直すなどして取引の誤りを解消したのちに、異常対象ドロアを閉じる。異常対象ドロアが閉塞されると（Ｓ１１２：ＹＥＳ）、制御部２０３は、異常対象容器の報知を終了させる（Ｓ１１３）。具体的には、制御部２０３は、点滅している表示灯１２１、１７１を消灯させる。そして、制御部２０３は、異常対象ドロアをロックし（Ｓ１１４）し、再び、異常操作の判定を行う（Ｓ１０８）。異常操作がなければ（Ｓ１０９：ＮＯ）、制御部２０３は、取引操作に係る処理を終了する。
【００７４】
＜実施形態の効果＞
本実施の形態によれば、以下の効果が奏され得る。
【００７５】
操作者は、対象容器報知部１２０、１７０の報知により、貨幣を収納しまたは取出す際に、ドロア２４ａ〜２４ｄ上において、貨幣の収納または取出の対象となる収納容器（紙幣収納容器１００、硬貨収納容器１５０）を確認できる。これにより、操作者が誤った収納容器に対して貨幣の収納または取出を行うことを防止できる。
【００７６】
また、対象容器報知部１２０、１７０が、収納容器と同じドロア２４ａ〜２４ｄの上面に設けられるので、操作者が貨幣の収納または取出を行うとき、対象容器報知部１２０、１７０による報知を確認しやすい。
【００７７】
さらに、対象容器報知部１２０、１７０を構成する各表示灯１２１、１７１は、収納容器ごとに設けられているので、表示灯１２１、１７１による報知が、それに対応する収納容器への報知であることが分かりやすい。
【００７８】
さらに、取引情報に合致しない異常な貨幣の収納または取出（異常操作）が発生した場合には、対象容器報知部１２０、１７０によって異常の解消のため操作者に確認されるべき収納容器の報知が行われる。これにより、操作者は、異常を解消するための作業を円滑に行うことができる。
【００７９】
以上、本発明の実施の形態について説明したが、本発明は、上記実施の形態によって何ら制限されるものではなく、また、本発明の実施の形態も、上記以外に種々の変更が可能である。以下、各種の変更例について説明する。
【００８０】
なお、以下の各種の変更例において、表示器１２２、１７２が特許請求の範囲に記載の「表示部」に対応する。また、対象容器報知部１２３、１７３が特許請求の範囲に記載の「第１の報知部」に対応する。さらに、ドロア報知部２５ａ〜２５ｄが特許請求の範囲に記載の「第２の報知部」に対応する。さらに、紙幣収納ユニット１００Ａおよび硬貨収納ユニット１５０Ａが特許請求の範囲に記載の「収納部群」に対応する。さらに、ロードセル１１０、１６０と制御部２０３とが特許請求の範囲に記載の「数検出部」および「期間計測部」を構成する。
【００８１】
＜変更例１＞
図９（ａ）は、変更例１に係る、２段目のドロア２４ｂの構成を示す平面図であり、図９（ｂ）は、変更例１に係る、表示器１２２の表示例を示す図である。図９（ｃ）は、変更例１に係る、３段目のドロア２４ｃの構成を示す平面図であり、図９（ｄ）は、変更例１に係る、表示器１７２の表示例を示す図である。
【００８２】
本変更例では、ドロア２４ｂの対象容器報知部１２０が、紙幣収納容器１００ごとに設けられた、合計１０個の表示器１２２を含む。また、ドロア２４ｃの対象容器報知部１７０が、硬貨収納容器１５０ごとに設けられた、合計１２個の表示器１７２を含む。表示器１２２、１７２は、たとえば、液晶表示器であり、表示面上に、数字や文字による情報を表示することができる。さらに、紙幣収納容器１００および硬貨収納容器１５０に金種ラベルが設けられなくてもよい。
【００８３】
なお、ドロア２４ａおよびドロア２４ｄは、それぞれ、ドロア２４ｂおよびドロア２４ｃと同様の構造を有する。
【００８４】
本変更例の構成とされた場合、図８のＳ２０３において、制御部２０３は、満杯でない取引対象容器に対応する表示器１２２、１７２に金種名の表示１２２ａ、１７２ａを行うとともに、表示器１２２、１７２を点滅させる（図９（ｂ）、（ｄ）参照）。表示器１２２の点滅は、金種名の表示１２２ａ、１７２ａを点滅させる態様であってもよいし、金種名の表示１２２ａ、１７２ａと背景の双方を点滅させる態様であってもよい。また、制御部２０３は、満杯でない取引対象容器に対応する表示器１２２、１７２以外の表示器１２２、１７２については、金種名の表示１２２ａ、１７２ａは行うが点滅はさせない。
【００８５】
同様に、図８のＳ２０５において、制御部２０３は、カラでない取引対象容器に対応する表示器１２２、１７２に金種名の表示１２２ａ、１７２ａを行うとともに、表示器１２２、１７２を点滅させる（図９（ｂ）、（ｄ）参照）。また、制御部２０３は、カラでない取引対象容器に対応する表示器１２２、１７２以外の表示器１２２、１７２については、金種名の表示１２２ａ、１７２ａは行うが点滅はさせない。
【００８６】
なお、表示器１２２、１７２が複数の色を表示できれば、点滅ではなく、一定の周期で、金種名の表示１２２ａ、１７２ａや背景の色を変える表示態様が採られてもよい。
【００８７】
＜変更例２＞
図１０（ａ）は、変更例２に係る、２段目のドロア２４ｂの構成を示す平面図であり、図１０（ｂ）は、変更例２に係る、対象容器報知部１２３の表示例を示す図である。図１０（ｃ）は、変更例２に係る、３段目のドロア２４ｃの構成を示す平面図であり、図１０（ｄ）は、変更例２に係る、対象容器報知部１７３の表示例を示す図である。
【００８８】
本変更例では、ドロア２４ｂの上面における最前列の紙幣収納容器１００の前方位置に対象容器報知部１２３が設けられ、ドロア２４ｃの上面における最前列の硬貨収納容器１５０の前方位置に対象容器報知部１７３が設けられる。対象容器報知部１２３、１７３は、たとえば、液晶表示器である。対象容器報知部１２３には、表示面上に、各紙幣収納容器１００に対応する表示画像１２４ａで構成されるドロア２４ｂのレイアウト画像１２４が表示される。対象容器報知部１７３には、表示面上に、各硬貨収納容器１５０に対応する表示画像１７４ａで構成されるドロア２４ｃのレイアウト画像１７４が表示される。
【００８９】
なお、ドロア２４ａおよびドロア２４ｄは、それぞれ、ドロア２４ｂおよびドロア２４ｃと同様の構造を有する。
【００９０】
本変更例の構成とされた場合、図８のＳ２０３において、制御部２０３は、対象容器報知部１２３、１７３に、満杯でない取引対象容器に対応する表示画像１２４ａ、１７４ａが、それ以外の表示画像１２４ａ、１７４ａとは異なる色となるように、レイアウト画像１２４、１７４を表示させる（図１０（ｂ）、（ｄ）参照）。同様に、図８のＳ２０５において、制御部２０３は、対象容器報知部１２３、１７３に、カラでない取引対象容器に対応する表示画像１２４ａ、１７４ａが、それ以外の表示画像１２４ａ、１７４ａとは異なる色となるように、レイアウト画像１２４、１７４を表示させる（図１０（ｂ）、（ｄ）参照）。
【００９１】
なお、満杯でない取引対象容器に対応する表示画像１２４ａ、１７４ａは、点滅してもよい。同様に、カラでない取引対象容器に対応する表示画像１２４ａ、１７４ａも、点滅してよい。また、表示画像１２４ａ、１７４ａの中に金種名が表示されてもよい。さらに、対象容器報知部１２３、１７３がドロア２４ａ〜２４ｄの前面に配置されてもよい。
【００９２】
＜変更例３＞
図１１（ａ）は、変更例３に係る、２段目のドロア２４ｂの構成を示す平面図であり、図１１（ｂ）は、変更例３に係る、３段目のドロア２４ｃの構成を示す平面図である。図１２（ａ）は、変更例３に係る、取引対象容器を報知する処理の詳細を示すフローチャートである。図１２（ｂ）は、変更例３に係る、表示灯１２１および表示器１２２の表示例を示す図であり、図１２（ｃ）は、変更例３に係る、表示灯１７１および表示器１７２の表示例を示す図である。なお、図１２（ａ）では、図８（ａ）のフローチャートと同じ内容のステップには、同じステップ番号を付している。
【００９３】
本変更例では、ドロア２４ｂの対象容器報知部１２０が、紙幣収納容器１００ごとに設けられた、合計１０組の表示灯１２１および表示器１２２を含む。また、ドロア２４ｃの対象容器報知部１７０が、硬貨収納容器１５０ごとに設けられた、合計１２組の表示灯１７１および表示器１７２を含む。さらに、紙幣収納容器１００および硬貨収納容器１５０に金種ラベルが設けられなくてもよい。
【００９４】
なお、ドロア２４ａおよびドロア２４ｄは、それぞれ、ドロア２４ｂおよびドロア２４ｃと同様の構造を有する。
【００９５】
さらに、本変更例では、図１２（ａ）のフローチャートに示すように、制御部２０３は、表示灯１２１、１７１の点滅によって取引対象容器の報知を行うととともに（Ｓ２０３、Ｓ２０５）、図１２（ｂ）、（ｃ）に示すように、報知を行った取引対象容器に対応する表示器１２２、１７２に、その取引対象容器に現在収納されている貨幣の個数を表示する（Ｓ２１１）。現在の収納個数は、取引対象容器に設けられたロードセル１１０、１６０の測定重量に基づいて検出できる。
【００９６】
報知を行った取引対象容器に対応する表示器１２２、１７２には、貨幣の個数表示１２２ｂ、１７２ｂと金種名の表示１２２ａ、１７２ａとが行われるが、それ以外の表示器１２２、１７２には、金種名の表示１２２ａ、１７２ａのみが行われる。
【００９７】
本変更例の構成によれば、操作者が、現在の収納個数を参照しつつ、取引対象容器に貨幣の収納または取出を行うことができる。
【００９８】
＜変更例４＞
図１３（ａ）は、変更例４に係る、取引対象容器を報知する処理の詳細を示すフローチャートである。図１３（ｂ）は、変更例４に係る、表示灯１２１および表示器１２２の表示例を示す図であり、図１２（ｃ）は、変更例４に係る、表示灯１７１および表示器１７２の表示例を示す図である。なお、図１３（ａ）では、図８（ａ）のフローチャートと同じ内容のステップには、同じステップ番号を付している。
【００９９】
本変更例のドロア２４ａ〜２４ｄの構造は、変更例３のドロア２４ａ〜２４ｄの構造と同じである。
【０１００】
本変更例では、図１３（ａ）のフローチャートに示すように、制御部２０３は、表示灯１２１、１７１の点滅によって取引対象金種の貨幣が収納されるべき取引対象容器の報知を行うととともに（Ｓ２０３）、取引対象容器に収納されるべき貨幣の個数（以下、「収納個数」という）を表示器１２２、１７２に表示させる（Ｓ２２１）。また、制御部２０３は、表示灯１２１、１７１の点滅によって取引対象金種の貨幣が取出されるべき取引対象容器の報知を行うととともに（Ｓ２０５）、取引対象容器から取出されるべき貨幣の個数（以下、「取出個数」という）を表示器１２２、１７２に表示させる（Ｓ２２２）。
【０１０１】
なお、図１３（ｂ）、（ｃ）に示すように、貨幣が収納または取出されるべき取引対象容器に対応する表示器１２２、１７２には、収納個数または取出個数の表示１２２ｃ、１７２ｃと金種名の表示１２２ａ、１７２ａとが行われるが、それ以外の表示器１２２、１７２には、金種名の表示１２２ａ、１７２ａのみが行われる。
【０１０２】
本変更例の構成によれば、操作者は、貨幣を収納しまたは取出す際に、ドロア２４ａ〜２４ｄ上において、取引対象容器に対して収納または取出すべき貨幣の個数を確認することができる。
【０１０３】
＜変更例５＞
図１４（ａ）は、変更例５に係る、取引対象容器を報知する処理の詳細を示すフローチャートである。図１４（ｂ）は、変更例５に係る、カウントアップが開始される前の表示灯１２１および表示器１２２の表示例を示す図であり、図１４（ｃ）は、変更例５に係る、カウントアップが完了したときの表示灯１２１および表示器１２２の表示例を示す図である。図１４（ｄ）は、変更例５に係る、カウントダウンが開始される前の表示灯１２１および表示器１２２の表示例を示す図であり、図１４（ｅ）は、変更例５に係る、カウントダウンが完了したときの表示灯１２１および表示器１２２の表示例を示す図である。なお、図１４（ａ）では、図８（ａ）のフローチャートと同じ内容のステップには、同じステップ番号を付している。
【０１０４】
本変更例のドロア２４ａ〜２４ｄの構造は、変更例３のドロア２４ａ〜２４ｄの構造と同じである。
【０１０５】
本変更例では、図１４（ａ）のフローチャートに示すように、制御部２０３は、表示器１２２、１７２に収納個数を表示させた後（Ｓ２２１）、表示器１２２、１７２に収納個数へ向けてカウントアップするためのカウントアップ表示を行い、何れかの取引対象容器へ貨幣が収納される度にカウントアップを行ってその貨幣と同じ金種が割り当てられた全ての取引対象容器に対応する表示器１２２、１７２のカウントアップ表示を更新する（Ｓ２２３）。
【０１０６】
図１４（ｂ）、（ｃ）には、紙幣収納容器１００に対応する表示器１２２において、金種名の表示１２２ａとともにカウントアップ表示１２２ｄが行われた例が示されている。カウントアップ表示１２２ｄにおいて、スラッシュ記号を挟んで右側の数字は収納すべき貨幣の個数を示し、左側の数字は収納された貨幣の個数を示す。
【０１０７】
収納個数の貨幣が取引対象容器に収納され、カウントが完了すると（Ｓ２２４：ＹＥＳ）、制御部２０３は、対象容器報知部１２０、１７０によって、収納が完了した旨の報知を行う（Ｓ２２５）。具体的には、図１４（ｃ）に示すように、制御部２０３は、点滅状態にあった表示灯１２１、１７１を消灯する。
【０１０８】
同様に、制御部２０３は、表示器１２２、１７２に取出個数を表示させた後（Ｓ２２２）、表示器１２２、１７２に取出個数からカウントダウンするためのカウントダウン表示を行い、何れかの取引対象容器から貨幣が取出される度にカウントダウンを行ってその貨幣と同じ金種が割り当てられた全ての取引対象容器に対応する表示器１２２、１７２のカウントダウン表示を更新する（Ｓ２２６）。
【０１０９】
図１４（ｄ）、（ｅ）には、紙幣収納容器１００に対応する表示器１２２において、金種名の表示１２２ａとともにカウントダウン表示１２２ｅが行われた例が示されている。カウントダウン表示１２２ｅにおいて、スラッシュ記号を挟んで右側の数字は、取出すべき貨幣の個数を示し、左側の数字は取出すべき貨幣の残りの個数を示す。
【０１１０】
取出個数の貨幣が取引対象容器から取出され、カウントが完了すると（Ｓ２２７：ＹＥＳ）、制御部２０３は、収納が完了した旨の報知を行う（Ｓ２２５）。具体的には、図１４（ｅ）に示すように、制御部２０３は、点滅状態にあった表示灯１２１、１７１を消灯する。
【０１１１】
本変更例の構成によれば、操作者は、カウントアップ表示またはカウントダウン表示によって、貨幣が収納されるドロア２４ａ〜２４ｄ上において、収納または取出された個数を確認しながら、貨幣の収納または取出を行うことができる。また、操作者は、完了の報知によって、収納または取出すべき収納容器（紙幣収納容器１００、硬貨収納容器１５０）に対する貨幣の収納または取出が完了したことを把握できる。
【０１１２】
＜変更例６＞
図１５は、変更例６に係る、取引対象容器を報知する処理の詳細を示すフローチャートである。なお、図１５では、図８（ａ）のフローチャートと同じ内容のステップには、同じステップ番号を付している。
【０１１３】
本変更例では、図１５のフローチャートに示すように、取引の種別が取出である場合に（Ｓ２０１：取出）、カラの取引対象容器を検出した後（Ｓ２０４）、制御部２０３は、カラでない取引対象容器の全てについて、収納されている貨幣の保管期間を取得する（Ｓ２３１）。たとえば、制御部２０３は、取引対象容器に設けられたロードセル１１０、１６０のアンプログを参照し、最後に重量変化のあった時から現在までの期間を貨幣の保管期間と看做す。制御部２０３は、対象容器報知部１２０、１７０により、カラでない取引対象容器を保管期間に応じた態様で報知する（Ｓ２３２）。具体的には、制御部２０３は、保管期間の長い取引対象容器に対応する表示灯１２１、１７１を、それ以外の取引対象容器に対応する表示灯１２１、１７１とは異なる表示態様で動作させる。たとえば、前者の表示灯１２１、１７１を点滅させ、後者の表示灯１２１、１７１を点灯または消灯させる。
【０１１４】
制御部２０３は、保管期間が所定の期間（たとえば、１４日など）を超える取引対象容器を、保管期間の長い取引対象容器に設定できる。あるいは、制御部２０３は、保管期間の長い順で順位付けしたときに所定の順位以上（たとえば、１位、３位以上など）の取引対象容器を、保管期間の長い取引対象容器に設定できる。あるいは、制御部２０３は、保管期間の長い順で順位付けしたときに所定の順位以上であり、且つ保管期間が所定の期間を超える取引対象容器を、保管期間の長い取引対象容器に設定できる。
【０１１５】
本変更例の構成によれば、操作者に、保管期間が長い貨幣から取出すよう促すことができるので、保管期間が長い貨幣が収納容器（紙幣収納容器１００、硬貨収納容器１５０）に残ったままになるのを防止できる。たとえば、小束紙幣や大束紙幣は、保管期間が長くなると紙帯の交換が必要となるが、上記の構成とすれば、このような紙帯の交換作業を低減できる。
【０１１６】
なお、本変更例のドロア２４ａ〜２４ｄは、上記実施形態から変更されていないが、本変更例のドロア２４ａ〜２４ｄとして、変更例１ないし３の何れかのドロア２４ａ〜２４ｄの構造が採用されてもよい。
【０１１７】
＜その他の変更例＞
その他、上記実施形態は、以下のとおり、適宜変更され得る。
【０１１８】
たとえば、上記実施形態では、図４（ａ）、（ｃ）のように、対象容器報知部１２０を構成する各表示灯１２１が、ドロア２４ａ、２４ｂの上面における、各紙幣収納容器１００の側方近傍に設けられ、また、対象容器報知部１７０を構成する各表示灯１７１が、ドロア２４ｃ、２４ｄの上面における、各硬貨収納容器１５０の側方近傍に設けられる。しかしながら、対象容器報知部１２０を構成する各表示灯１２１は、ドロア２４ａ、２４ｂの上面であれば、たとえば、図１６（ａ）のように、各紙幣収納容器１００に設けられていてもよい。同様に、対象容器報知部１７０を構成する各表示灯１７１は、ドロア２４ｃ、２４ｄの上面であれば、たとえば、図１６（ｂ）のように、各硬貨収納容器１５０に設けられていてもよい。さらに、各紙幣収納容器１００に、表示灯１２１に替えて、または表示灯１２１に加えて、表示器１２２が設けられてもよく、各硬貨収納容器１５０に、表示灯１７１に替えて、または表示灯１７１に加えて、表示器１７２が設けられてもよい。
【０１１９】
また、上記実施形態では、図４（ａ）のように、各紙幣収納容器１００が、それぞれ別体に形成され、全ての紙幣収納容器１００に対応して表示灯１２１が設けられる。また、図４（ｃ）のように、各硬貨収納容器１５０が、それぞれ別体に形成され、全ての硬貨収納容器１５０に表示灯１７１が設けられる。しかしながら、同じ金種が割り当てられる複数の紙幣収納容器１００を一体化することにより、紙幣収納容器群である紙幣収納ユニット１００Ａを形成し、紙幣収納ユニット１００Ａごとに表示灯１２１が設けられてもよい。たとえば、図１６（ｃ）のように、左右２つの紙幣収納容器１００が紙幣収納ユニット１００Ａとして一体化され、この紙幣収納ユニット１００Ａに対応する表示灯１２１が、この紙幣収納ユニット１００Ａの側方近傍に設けられ得る。この場合、たとえば、ロードセル１１０は、図１６（ｃ）のように紙幣収納ユニット１００Ａごとに設けられてもよいし、紙幣収納容器１００ごとに設けられてもよい。また、操作者は、紙幣収納ユニット１００Ａごとに紙幣の金種の設定を行うことができる。
【０１２０】
同様に、同じ金種が割り当てられる複数の硬貨収納容器１５０を一体化することにより、硬貨収納容器群である硬貨収納ユニット１５０Ａを形成し、硬貨収納ユニット１５０Ａごとに表示灯１７１が設けられてもよい。たとえば、図１６（ｄ）のように、前後左右４つの硬貨収納容器１５０が硬貨収納ユニット１５０Ａとして一体化され、この硬貨収納ユニット１５０Ａに対応する表示灯１７１が、この硬貨収納ユニット１５０Ａの側方近傍に設けられ得る。この場合、たとえば、ロードセル１６０は、図１６（ｄ）のように硬貨収納ユニット１５０Ａごとに設けられてもよいし、硬貨収納容器１５０ごとに設けられてもよい。また、操作者は、硬貨収納ユニット１５０Ａごとに硬貨の金種の設定を行うことができる。
【０１２１】
なお、同じ金種が割り当てられた収納容器（紙幣収納容器１００、硬貨収納容器１５０）であれば、一体化される収納容器の個数はいくつであってもよい。また、一つの紙幣収納ユニット１００Ａに対して複数の表示灯１２１が設けられてもよく、一つの硬貨収納ユニット１５０Ａに対して複数の表示灯１７１が設けられてもよい。さらに、各紙幣収納ユニット１００Ａに対応して、表示灯１２１に替えて、または表示灯１２１に加えて、表示器１２２が設けられてもよく、各硬貨収納ユニット１５０Ａに対応して、表示灯１７１に替えて、または表示灯１７１に加えて、表示器１７２が設けられてもよい。
【０１２２】
このように、複数の収納容器を一体化して収納ユニット（紙幣収納ユニット１００Ａ、硬貨収納ユニット１５０Ａ）を構成する場合に、収納ユニットごとに表示灯１２１、１７１（表示器１２２、１７２）が設けられると、操作者は、表示灯１２１、１７１による報知が、それに対応する収納ユニットの収納容器への報知であることが分かりやすい。
【０１２３】
さらに、図１７（ａ）、（ｂ）に示すように、ドロア２４ａ、２４ｂは、紙幣収納容器１００に収納凹部１００ａを開閉する蓋体１０２が設けられ、この蓋体１０２に対象容器報知部１２０を構成する表示器１２２が配置される構成とされてもよい。この場合、表示器１２２には、少なくとも金種名と現在収納されている紙幣の束数が表示されることが望ましい。同様に、図１７（ｃ）、（ｄ）に示すように、ドロア２４ｃ、２４ｄは、硬貨収納容器１５０に収納凹部１５０ａを開閉する蓋体１５２が設けられ、この蓋体１５２に対象容器報知部１７０を構成する表示器１７２が配置される構成とされてもよい。この場合、表示器１７２には、少なくとも金種名と現在収納されている硬貨の本数が表示されることが望ましい。
【０１２４】
さらに、上記実施形態において、図１８に示すように、各ドロア２４ａ〜２４ｄの周囲に、それぞれ、ドロア報知部２５ａ〜２５ｄが設けられてもよい。ドロア報知部２５ａ〜２５ｄは、たとえば、ＬＥＤからなり、取引情報に従って点滅し、ドロア報知部２５ａ〜２５ｄに対応するドロア２４ａ〜２４ｄが、取引対象ドロアであることを報知する。たとえば、制御部２０３は、最初の取引対象ドロアのロックが解除されてから最後の取引対象ドロアがロックされるまでの間、全ての取引対象ドロアに対応するドロア報知部２５ａ〜２５ｄを点滅させる。あるいは、制御部２０３は、一つの取引対象ドロアのロックが解除されてからその取引対象ドロアがロックされるまでの間、その取引対象ドロアに対応するドロア報知部を点滅させる。なお、このような構成とされる場合、ロック解除後ドロア２４ａ〜２４ｄを僅かに引き出すための付勢手段が設けられなくてもよい。
【０１２５】
このような構成とすれば、ドロア報知部２５ａ〜２５ｄにより、何れのドロア２４ａ〜２４ｄが取引対象容器を含むドロアであるかが報知されるので、操作者が円滑に目的のドロアへ誘導される。
【０１２６】
さらに、上記変更例３ないし５では、対象容器報知部１２０、１７０が、表示灯１２１および表示器１２２により構成される。しかしながら、上記変更例３ないし５の対象容器報知部１２０、１７０は、表示灯１２１、１７１のない構成とすることもできる。この場合、制御部２０３は、取引対象容器に対応する表示器１２２、１７２を点滅させる。
【０１２７】
さらに、変更例５では、表示器１２２、１７２にカウントアップ表示およびカウントダウン表が行われ、カウントが完了すると、完了の報知が行われる。しかしながら、カウンアップ表示およびカウントダウン表示を行わずに、カウントだけを行い、カウントが完了したときに、完了の報知が行われてもよい。この場合、カウントの開始前に、表示器１２２、１７２に収納個数または取出個数が表示されてもよいし、表示されなくてもよい。
【０１２８】
さらに、上記実施形態において、３段目のドロア２４ｃが１円、５円および１０円の硬貨の収納に用いられ、最下段のドロア２４ｄが５０円、１００円および５００円の硬貨の収納に用いられてもよい。
【０１２９】
この他、本発明の実施形態は、特許請求の範囲に記載の範囲で適宜変更可能である。
【符号の説明】
【０１３０】
２０  貨幣管理装置
２０ａ  装置本体
２１  入力部（受付部）
２４ａ〜２４ｄ  ドロア（収納庫）
２５ａ〜２５ｄ  ドロア報知部（第２の報知部）
１００  紙幣収納容器（収納部）
１００Ａ  紙幣収納ユニット（収納部群）
１１０  ロードセル（数検出部、期間計測部）
１２０  対象容器報知部（第１の報知部）
１２１  表示灯（表示部）
１２２  表示器（表示部）
１２３  対象容器報知部（第１の報知部）
１５０  硬貨収納容器（収納部）
１５０Ａ  硬貨収納ユニット（収納部群）
１６０  ロードセル（数検出部、期間計測部）
１７０  対象容器報知部（第１の報知部）
１７１  表示灯（表示部）
１７２  表示器（表示部）
１７３  対象容器報知部（第１の報知部）
２０３  制御部（数検知部、期間計測部）
２０５  通信部（受付部）
【図１】
2020035494.tif 000003
【図２】
2020035494.tif 000004
【図３】
2020035494.tif 000005
【図４】
2020035494.tif 000006
【図５】
2020035494.tif 000007
【図６】
2020035494.tif 000008
【図７】
2020035494.tif 000009
【図８】
2020035494.tif 000010
【図９】
2020035494.tif 000011
【図１０】
2020035494.tif 000012
【図１１】
2020035494.tif 000013
【図１２】
2020035494.tif 000014
【図１３】
2020035494.tif 000015
【図１４】
2020035494.tif 000016
【図１５】
2020035494.tif 000017
【図１６】
2020035494.tif 000018
【図１７】
2020035494.tif 000019
【図１８】
2020035494.tif 000020